(57)【要約】【課題】第一パネルを支持する第一方立部材と第二パネルを支持する第二方立部材とからなる左右分割型の方立に、第三パネルを支持するための第三パネル支持部材を取付けるにあたり、意匠性の向上、コスト削減を図る。【解決手段】第一方立部材５の第一パネル支持部５ａから見込み方向に延びる第一見込み片部５ｆと、第二方立部材６の第二パネル支持部６ａから見込み方向に延びる第二見込み片部６ｆとの対向間に、第三パネル７を支持するための第三パネル支持部材１２を、第一、第二方立部材５、６の見込み幅内に収まる状態で取付けた。【選択図】図３
2019112893.tif 000002
【特許請求の範囲】
【請求項１】
第一パネルを支持する第一パネル支持部から見込み方向に延びる第一見込み片部を有する第一方立部材と、第二パネルを支持する第二パネル支持部から見込み方向に延びる第二見込み片部を有する第二方立部材とを、第一、第二見込み片部同士が互いに対向する状態で組み付けて構成される左右分割型の方立において、該方立に第三パネルを支持するための第三パネル支持部材を取付けるにあたり、該第三パネル支持部材は、第一、第二方立部材の見込み幅内に収まる状態で前記第一、第二見込み片部の対向間に取付けられることを特徴とする方立。
【請求項２】
請求項１において、第三パネル支持部材は、第三パネルを支持する他の枠材とともに第三パネル枠体として枠組み形成された状態で方立に取付けられることを特徴とする方立。
【請求項３】
請求項１または２において、方立に第三パネルを取付けない場合に、第一、第二見込み片部の対向間には、該第一、第二見込み片部の見込み方向端部と面一状となって第一、第二見込み片部の対向間を塞ぐカバー部材が装着されることを特徴とする方立。
【発明の詳細な説明】
【技術分野】
【０００１】
本発明は、サッシやカーテンウォール等に用いられる方立に関するものである。
【背景技術】
【０００２】
一般に、サッシやカーテンウォール等に用いられる連窓用の方立として、左右に分割された方立を用いることがあるが、このような左右分割型の方立のなかには、例えば、パネル（ガラスパネルや樹脂パネル等）を支持するパネル支持部と、該パネル支持部から見込み方向に延びる見込み片部とを有する左右一対の第一、第二方立部材を、見込み片部同士が互いに対向するように組み付けて構成されるものがある。
ところで、前述したような左右分割型の方立を利用して、第一、第二方立部材に支持される第一、第二パネルとは異なる面方向を向く第三パネル（例えば、間仕切りパネル等）を取付けることが要求される場合がある。そこでこのような場合に、第一、第二方立部材（第一、第二パネル保持部材）の屋内側面（内片）に、第三パネル保持部を有するアタッチメントを取付け、該アタッチメントを介して方立に第三パネルを支持せしめるようにした技術が知られている（例えば、特許文献１参照。）。
【先行技術文献】
【特許文献】
【０００３】
【特許文献１】特開２０１７−１６０７６７号公報
【発明の概要】
【発明が解決しようとする課題】
【０００４】
しかしながら、前記特許文献１のアタッチメントは、第一、第二方立部材の屋内側面に取付けられる係合部材と、該係合部材に屋内側から係合し、第三パネル保持部を有する第三パネル保持部材とを備えて構成されている。つまり、第三パネルを支持するためのアタッチメントは、第一、第二方立部材の屋内側面から屋内側に突出する状態で設けられており、このため、該突出したアタッチメントが別部材として視認されるうえ、第三パネルが設けられる方立と第三パネルが設けられない方立とが隣接したような場合に、アタッチメントの有無により方立としての統一性が損なわれて意匠性に劣る等の問題がある。さらに、特許文献１のものでは、第三パネル保持部を有する第三パネル保持部材として、第一、第二方立部材と同じ構造のものが用いられている。このため、例えば、第一、第二パネルが屋内外を仕切る外壁パネルで、第三パネルが屋内に設置される間仕切りパネルであるような場合、第一、第二パネルを支持する第一、第二方立部材は耐風圧性能を必要とする一方、第三パネルを支持する第三パネル保持部材は耐風圧性能を必要としないため第一、第二方立部材ほど強度を必要としないが、特許文献１の第三パネル保持部材は、耐風圧性能を必要とする第一、第二方立部材と同じ構造のものであるから、過剰強度となってコストが高くつくという問題もあり、これらに本発明の解決すべき課題がある。
【課題を解決するための手段】
【０００５】
本発明は、上記の如き実情に鑑みこれらの課題を解決することを目的として創作されたものであって、請求項１の発明は、第一パネルを支持する第一パネル支持部から見込み方向に延びる第一見込み片部を有する第一方立部材と、第二パネルを支持する第二パネル支持部から見込み方向に延びる第二見込み片部を有する第二方立部材とを、第一、第二見込み片部同士が互いに対向する状態で組み付けて構成される左右分割型の方立において、該方立に第三パネルを支持するための第三パネル支持部材を取付けるにあたり、該第三パネル支持部材は、第一、第二方立部材の見込み幅内に収まる状態で前記第一、第二見込み片部の対向間に取付けられることを特徴とする方立である。
請求項２の発明は、請求項１において、第三パネル支持部材は、第三パネルを支持する他の枠材とともに第三パネル枠体として枠組み形成された状態で方立に取付けられることを特徴とする方立である。
請求項３の発明は、請求項１または２において、方立に第三パネルを取付けない場合に、第一、第二見込み片部の対向間には、該第一、第二見込み片部の見込み方向端部と面一状となって第一、第二見込み片部の対向間を塞ぐカバー部材が装着されることを特徴とする方立である。
【発明の効果】
【０００６】
請求項１の発明とすることにより、第三パネル支持部材が外部から視認されることなく、意匠性の向上が図れるとともに、第三パネル支持部材の強度を適宜設定できてコスト削減を図れる。
請求項２の発明とすることにより、施工現場での作業性向上に貢献できる。
請求項３の発明とすることにより、方立に第三パネルを取付けない場合には、第一、第二見込み片部の対向間を、該第一、第二見込み片部の見込み方向端部と面一状となる状態で塞ぐことができる。
【図面の簡単な説明】
【０００７】
【図１】（Ａ）は間仕切りが取付けられたサッシの内観図、（Ｂ）は（Ａ）のＸ矢視図である。
【図２】図１（Ａ）のＹ−Ｙ矢視拡大図である。
【図３】図２のＸ部の拡大図である。
【図４】（Ａ）は図２のＹ部の拡大図、（Ｂ）はシール材の装着例を示す図である。
【図５】（Ａ）、（Ｂ）は方立および第三パネル枠体の組み付けを示す図である。
【図６】（Ａ）は方立の見付け寸法と第三パネル枠体の見込み寸法とが異なる他例を示す図、（Ｂ）はカバーキャップの他例を示す図である。
【０００８】
以下、本発明の実施の形態について、図面に基づいて説明する。図において、１は建物の屋内外を仕切るサッシであって、該サッシ１は、左右方向に間隔を存して立設される複数の連窓用の方立２と、左右に隣接する方立２間に支架される複数の横材（上枠や下枠）３と、これら方立２と横材３とにより形成される開口部に取付けられるバネル４とを備えて構成されている。
尚、本実施の形態を説明するにあたり、前記サッシ１を構成するパネル４（後述する第一、第二パネル４Ａ、４Ｂ）は面方向が同方向を向いているとともに、該パネル４の面方向に沿うとともに上下方向と直行する方向を、左右方向として説明する。また、本実施の形態では、前記パネル４および後述する第三パネル７としてガラスパネルが用いられているが、これに限定されることなく、樹脂製や金属製、木製のパネルであってもよい。
【０００９】
前記方立２は、サッシ１を構成するパネル４の左右何れか一方の縦辺部を支持する第一方立部材５と、パネル４の他方の縦辺部を支持する第二方立部材６とから構成される左右分割型のものであって、これら第一、第二方立部材５、６を一体的に組み付けて方立２が形成されているが、さらに該方立２は、必要に応じて、サッシ１を構成するパネル４とは面方向が異なる第三パネル７を支持することができるようになっている。該第三パネル７は、本実施の形態では、サッシ１の屋内側に配設される間仕切り８を構成するパネルであって、その面方向は、サッシ１を構成するパネル４の面方向に対して垂直状となるように設定されている。
【００１０】
ここで、本実施の形態では、図面における左側の方立部材５を第一方立部材５と称し、右側の方立部材６を第二方立部材６と称するとともに、第一方立部材５に支持されるパネル４を第一パネル４Ａと称し、第二方立部材６に支持されるパネル４を第二パネル４Ｂと称するが、この場合に、同一のパネル４でも、第一方立部材方５に支持されているパネル４として説明する場合には第一パネル４Ａと称し、第二方立部材６に支持されているパネル４として説明する場合には第二パネル４Ｂと称する。また、第一パネル４Ａと第二パネル４Ｂとを総称してパネル４（サッシ１を構成するパネル４）と称するが、該サッシ１を構成するパネル４には、前記第三パネル７は含まれない。さらに、前記第一、第二方立部材５、６を説明するにあたり、これら第一、第二方立部材５、６同士を組み付けて連結した状態で第一、第二方立部材５、６同士が互いに対向する側（連結側）は、方立２にとって見付け方向内側となるため、第一、第二方立部材５、６同士の対向側を見付け方向内側とし、反対側を見付け方向外側として説明する。
【００１１】
前記第一方立部材５は、第一パネル４Ａの縦辺部がビートやシーリング材２０等を介して嵌合支持される凹溝状の第一パネル支持部５ａと、該第一パネル支持部５ａの屋外側に形成される第一屋外側見付け片部５ｂと、該第一屋外側見付け片部５ｂの見付け方向内側端部に形成されるＵ溝状の第一屋外側係合部５ｃと、第一パネル支持部５ａの溝底部から見付け方向内側に向けて突出形成される第一当接片５ｄおよび第一リップ溝部５ｅと、第一パネル支持部５ａの溝開口側端部から見込み方向屋内側に延びる第一見込み片部５ｆと、該第一見込み片部５ｆの見込み方向中間部から見付け方向内側に延びる第一中間見付け片部５ｇと、該第一中間見付け片部５ｇの見付け方向中間部に形成される第一中間係合部５ｈと、第一見込み片部５ｆの見込み方向屋内側端部に形成される第一係止受部５ｉとを備えて構成されている。
【００１２】
また、前記第二方立部材６は、第二パネル４Ｂの縦辺部がビートやシーリング材２０等を介して嵌合支持される凹溝状の第二パネル支持部６ａと、該第二パネル支持部６ａの屋外側に形成される第二屋外側見付け片部６ｂと、該第二屋外側見付け片部６ｂの見付け方向内側端部に形成される第二屋外側係合部６ｃと、第二パネル支持部６ａの溝開口側端部から見込み方向屋内側に延びる第二見込み片部６ｆと、該第二見込み片部６ｆの見込み方向中間部から見付け方向内側に延びる第二中間見付け片部６ｇと、該第二中間見付け片部６ｇの見付け方向内側端部に形成される第二中間係合部６ｈと、第二見込み片部６ｆの見込み方向屋内側端部に形成される第二係止受部６ｉとを備えて構成されている。
【００１３】
そして、前記第一方立部材５と第二方立部材６とは、これら第一方立部材５と第二方立部材６とを組み付けた状態で、第一パネル支持部５ａと第二パネル支持部６ａの溝底部同士が対向し、また、第一、第二見込み片部５ｆ、６ｆ同士が間隔を存して互いに平行状に対向するとともに、第一屋外側見付け片部５ｂに形成の第一屋外側係合部５ｃと第二屋外側見付け片部６ｂに形成の第二屋外側係合部６ｃとが係合し、第一パネル支持部５ａの溝底部に形成の第一当接片５ｄおよび第一リップ溝部５ｅが第二パネル支持部６ａの溝底部に当接し、第一中間係合部５ｈと第二中間係合部６ｈとが係合する状態で第一中間見付け片部５ｇと第二中間見付け片部６ｇとが重なり合うようになっており、この状態で、第一、第二パネル支持部５ａ、６ａの溝底部同士はネジ９により固定され、第一、第二中間見付け片部５ｇ、６ｇ同士はネジ１０により固定されるようになっている。
尚、前記第一、第二中間見付け片部５ｇ、６ｇは、本実施の形態では、第一中間見付け片部５ｇが第二中間見付け片部６ｇの屋内側に位置する状態で重なり合うように設計されている。また、第一屋外側係合部５ｃと第二屋外側係合部６ｃとの係合部および第一リップ溝部５ｅにはシール材１１が装着され、これにより、第一、第二方立部材５、６間の止水性が確保されるようになっている。
【００１４】
さらに、前記第一方立部材５と第二方立部材６とを組み付けて構成された方立２には、間隔を存して互いに対向する第一、第二見込み片部５ｆ、６ｆの対向間の屋内側部分に、屋内側から視て第一、第二見込み片部５ｆ、６ｆの見込み方向屋内側端部から屋外方向に凹陥状に凹んだ第三パネル支持部材取付部２ａが形成されている。そして、該第三パネル支持部材取付部２ａに、前述した第三パネル７を支持するための第三パネル支持部材１２が取付けられるようになっている。
【００１５】
前記第三パネル支持部材１２は、第三パネル７が取付けられる第三パネル枠体１３のうちの縦材を構成する部材であって、該第三パネル支持部材１２は、第三パネル７の縦辺部がビートやシーリング材２０等を介して嵌合支持される凹溝状の第三パネル支持部１２ａと、該第三パネル支持部１２ａの溝開口側端部から見込み方向（第三パネル７の見込み方向）両側に延びる一対の見込み片部１２ｂ、１２ｃと、これら見込み片部１２ｂ、１２ｃの見込み方向先端部にそれぞれ形成される係止部１２ｄ、１２ｅと、第三パネル支持部１２ａの溝内に形成されるキャップ係合受部１２ｆとを備えて構成されている。
【００１６】
そして、前記第三パネル支持部材１２は、第三パネル支持部１２ａが前記方立２に形成の第三パネル支持部材取付部２ａに嵌入し、係止部１２ｄ、１２ｅが方立２の第一、第二係止受部５ｉ、６ｉにそれぞれ係止する状態で、第三パネル支持部材取付部２ａに屋内側から組み付けられる。そして、該組み付けられた状態で、第三パネル支持部材１２の見込み片部１２ｂ、１２ｃは、方立２の第一、第二見込み片部５ｆ、６ｆの見込み方向屋内側端部と面一状になるとともに、第三パネル支持部材１２の第三パネル支持部１２ａの溝底部は、方立２の第一、第二中間見付け片部５ｇ、６ｇのうち屋内側に位置する第一中間見付け片部５ｇに当接するように設計されており、これら当接する第三パネル支持部１２ａの溝底部と第一中間見付け片部５ｇとを、屋内側から螺入されるネジ１４により固定することで、第三パネル支持部材１２を、方立２の第一、第二見込み片部５ｆ、６ｆの対向間に、第一、第二方立部材５、６の見込み幅内に収まる状態で取付けることができるようになっている。この場合に、第三パネル支持部材１２を固定するためのネジ１４は、第三パネル支持部１２ａの溝底部に螺入されるものであって第三パネル支持部１２ａに第三パネル７が嵌合された状態では外部から視認されることなく、而して、第三パネル支持部材１２の方立２への固定部分が外部から視認されて意匠が損なわれてしまうことを回避できるようになっている。
尚、本実施の形態では、第三パネル７はサッシ１の屋内側に配設されるため、方立２と第三パネル支持部材１２との間に止水のための部材は設けられていないが、第三パネルが屋外側に設けられるような場合には、図４（Ｂ）に示すように、方立２の係止受部５ｉ、６ｉと第三パネル支持部材１２の係止部１２ｄ、１２ｅとの間にシール材１５を介装することにより、方立２と第三パネル支持部材１２との間の止水性を確保することができる。
【００１７】
ここで、前記第三パネル支持部材１２は、前述したように第三パネル７が取付けられる第三パネル枠体１３のうちの縦材を構成する部材であるが、該第三パネル支持部材１２を方立２に取付ける場合には、図５に示すように、第三パネル７を支持する他の枠材（縦材１６や横材１７）とともに第三パネル枠体１３として枠組み形成された状態で、方立２に取付けられる。これにより、例えば工場等の製造現場で第三パネル枠体１３を枠組み形成し、このものを施工現場に運搬してそのまま方立２に組み付けできることになって、施工現場での作業効率の向上に貢献できる。また、リフォーム等のために施工後に間仕切り８の位置を変更したいような場合でも、第三パネル枠体１３ごと方立２から取り外したものを、そのまま別の方立２に取り付けることができる。
さらに、本実施の形態では、第三パネル枠体１３の見込み寸法は方立２の見付け寸法と同等寸法に設計されている。これにより、方立２と第三パネル枠体１３とが屋内外方向に面一状となって、意匠性に優れる。
尚、第三パネル７は、第三パネル枠体１３が方立２に取付けられた後に、該第三パネル枠体１３に取付けられる。また、第三パネル支持部材１２は、後述するように、第三パネル７が取付けられない場合も方立２に取付けられるが、この場合には、第三パネル支持部材１２単体で方立２に取付けられる。
【００１８】
一方、１８はカバーキャップであって、該カバーキャップ１８は、第三パネル支持部材１２の第三パネル支持部１２ａを屋内側から塞ぐカバー面部１８ａと、第三パネル支持部１２ａの溝内に挿入されて該溝内のキャップ係合受部１２ｆに着脱自在に係合する係合部１８ｂとを備えて構成されている。そして、該カバーキャップ１８は、方立２に第三パネル７を取付けない場合に、方立２に取付けられた第三パネル支持部材１２に屋内側から組み付けられるが、該組み付けられた状態で、第三パネル支持部材１２の見込み片部１２ｂ、１２ｃおよびカバーキャップ１８のカバー面部１８ａは、方立２の第一、第二見込み片部５ｆ、６ｆの見込み方向屋内側端部と面一状になって、第一、第二見込み片部５ｆ、６ｆの対向間の第三パネル支持部材取付部２ａを塞ぐように構成されている。而して、方立２に第三パネル７を取付けない場合に、第一、第二見込み片部５ｆ、６ｆの対向間は、方立２に取付けられた第三パネル支持部材１２と該第三パネル支持部材１２に装着されるカバーキャップ１８とによって、第一、第二見込み片部５ｆ、６ｆの見込み方向屋内側端部と面一状となる状態で塞がれるようになっている。尚、本実施の形態において、前記第三パネル支持部材１２およびカバーキャップ１８は、本発明のカバー部材を構成する。
【００１９】
叙述の如く構成された本発明の実施の形態において、方立２は、第一パネル４Ａを支持する第一パネル支持部５ａ、および該第一パネル支持部５ａから見込み方向に延びる第一見込み片部５ｆを有する第一方立部材５と、第二パネル４Ｂを支持する第二パネル支持部６ａ、および該第二パネル支持部６ａから見込み方向に延びる第二見込み片部６ｆを有する第二方立部材６とを、第一、第二見込み片部５ｆ、６ｆ同士が互いに対向する状態で組み付けて構成される左右分割型のものであるが、該方立に、第三パネル７を支持するための第三パネル支持部材１２を取付けるにあたり、該第三パネル支持部材１２は、第一、第二方立部材５、６の見込み幅内に収まる状態で第一、第二見込み片部５ｆ、６ｆの対向間に取付けられることになる。
【００２０】
この様に、本発明が実施されたものにあっては、第一パネル４Ａを支持する第一方立部材５と第二パネル４Ｂを支持する第二方立部材６とからなる左右分割型の方立２を、該方立２に第三パネル７を支持するための第三パネル支持部材１２を取付けることによって三方向用の方立２として用いることができるように構成したもの、つまり、二方向の方立２をそのまま利用して三方向の方立２として用いることができるように構成したものであり、これにより、二方向の方立２と三方向の方立２との共通化が図れて製造コストの削減を達成できるとともに、施工後の第三パネル７の追加、除去、位置変更等にも容易に対応できることになるが、このものにおいて、第三パネル７を支持するための第三パネル支持部材１２は、第一、第二方立部材５、６の見込み幅内に収まる状態で第一、第二見込み片部５ｆ、６ｆの対向間に取付けられているため、外部から視認されないことになる。この結果、第三パネル支持部材１２が外部から別部材として視認されて方立２の意匠が損なわれてしまうことがないうえ、第三パネル７が設けられる方立２と第三パネル７が設けられない方立２とが隣接していても、方立２としての統一性を確保できることになって、意匠性の向上に大きく貢献できる。しかも、第三パネル支持部材１２は、第一、第二見込み片部５ｆ、６ｆの対向間に第一、第二方立部材５、６の見込み幅内に収まる状態で取付けられるものであって第一、第二方立部材５、６と同じ構造のものではないから、第三パネル７を支持するために必要な強度となるように強度を適宜設定でき、例えば本実施の形態のように、第一、第二パネル４Ａ、４Ｂが屋内外を仕切るサッシ１用のパネルで、第三パネル７が屋内側に配される間仕切り８用のパネルであるような場合に、第三パネル支持部材を第一、第二方立部材５，６と同じ構造のものにして過剰強度となってしまうような無駄をなくすことができて、コスト削減に貢献できる。
【００２１】
また、前記第三パネル支持部材１２は、第三パネル７を支持する他の枠材（縦材１６や横材１７）とともに第三パネル枠体１３として枠組み形成された状態で、方立２に取付けられる構成となっているから、例えば工場等の製造現場で第三パネル枠体１３を枠組み形成し、このものを施工現場に運搬してそのまま方立２に組み付けできることになって、施工現場での作業効率の向上に貢献できる。
【００２２】
さらにこのものにおいて、方立２に第三パネル７を取付けない場合、つまり方立２を二方向の方立２として用いる場合には、第一、第二方立部材５、６の第一、第二見込み片部５ｆ、６ｆの対向間に、第一、第二見込み片部５ｆ、６ｆの見込み方向端部と面一状となって第一、第二見込み片部５ｆ、６ｆの対向間を塞ぐカバー部材（本実施の形態では、方立２に取付けられた第三パネル支持部材１２と、該第三パネル支持部材１２に取付けられるカバーキャップ１８）が装着されることになる。而して、方立２に第三パネル７を取付けない場合には、カバー部材によって、第三パネル支持部材１２が取付けられる第一、第二見込み片部５ｆ、６ｆの対向間を、該第一、第二見込み片部５ｆ、６ｆの見込み方向端部と面一状となる状態で塞ぐことができる。
【００２３】
尚、本発明は上記実施の形態（第一の実施の形態）に限定されないことは勿論であって、第一の実施の形態では、第三パネル枠体１３の見込み寸法と方立２の見付け寸法とは同等寸法に設計されているが、例えば、図６（Ａ）に示す如く、第三パネル枠体１３の見込み寸法が方立２の見付け寸法と異なっていても、本発明を実施できる。
また、第三パネル支持部材１２を方立２に固定するにあたり、第一の実施の形態では第一方立部材５にネジ１４を介して固定されているが、第二方立部材６に固定される構造であっても良く、また、第一、第二方立部材５、６の両方に固定される構造であっても良い。この場合、例えば、第一、第二方立部材５、６に設けられる第一、第二中間見付け片部５ｇ、６ｇ同士の重なり合う部分を方立２の見付け方向中央部とし、該重なり合う部分に第三パネル支持部材１２をネジを介して固定することにより、第三パネル支持部材１２は第一、第二方立部材５、６の両方に固定されることになる。
また、第一の実施の形態では、方立２に第三パネル７を取付けない場合に、第一、第二見込み片部５ｆ、６ｆの対向間を塞ぐカバー部材として、第三パネル７を取付ける場合に用いる第三パネル支持部材１２と、該第三パネル支持部材１２に装着されるカバーキャップ１８とを用いたが、図６（Ｂ）に示す如く、第三パネル支持部材を用いることなく、方立２自体に取付けられるカバーキャップ（本発明のカバー部材に相当する）１９を用いてもよい。このものでは、方立２の第一、第二見込み片部５ｆ、６ｆにキャップ係合受部５ｋ、６ｋが形成されているとともに、カバーキャップ１９は、第一、第二見込み片部５ｆ、６ｆの見込み方向屋内側端部と面一状となって第一、第二見込み片部５ｆ、６ｆの対向間を塞ぐカバー面部１９ａと、該カバー面部１９ａの両縁部に形成されて第一、第二見込み片部５ｆ、６ｆに形成の第一、第二係止受部５ｉ、６ｉに屋内側からそれぞれ係止する係止部１９ｂ、１９ｃと、前記キャップ係合受部５ｋ、６ｋに着脱自在に係合する係合部１９ｄ、１９ｅとを備えて形成されている。尚、前記図６（Ａ）、（Ｂ）において、第一の実施の形態と共通するものには同一の符号を付してある。
さらに、第一の実施の形態では、第一、第二パネルは屋内外を仕切るサッシ用のパネルであり、第三パネルは屋内側に配される間仕切り用のパネルであるが、これに限定されることなく、例えば、第一〜第三パネルの全てが屋外側に配されるパネル、あるいは屋内側に配されるパネルであっても、本発明を実施できる。また、第一の実施の形態では、サッシに用いられる方立を例にとって説明したが、これに限定されることなく、例えばカーテンウォール等に用いられる方立にも、本発明を実施できる。尚、第一の実施の形態では、方立は屋内外を仕切るサッシを構成するものであって、方立の見込み方向は屋内外方向を向いているため、方立の見込み方向一方側を屋内側とし、見込み方向他方側を屋外側として説明しているが、方立の見込み方向が屋内外方向を向いていない場合もある（例えば、方立が屋内側に配されるサッシを構成するものである場合）ため、前記説明における屋内側、屋外側は、方立の見込み方向一方側、見込み方向他方側と言い換えることができる。
【産業上の利用可能性】
【００２４】
本発明は、サッシやカーテンウォール等に用いられる方立に利用することができる。
【符号の説明】
【００２５】
２  方立
４Ａ  第一パネル
４Ｂ  第二パネル
５  第一方立部材
５ａ  第一パネル支持部
５ｆ  第一見込み片部
６  第二方立部材
６ａ  第二パネル支持部
６ｆ  第二見込み片部
７  第三パネル
１２  第三パネル支持部材
１３  第三パネル枠体
１８  カバーキャップ
１９  カバーキャップ
【図１】
2019112893.tif 000003
【図２】
2019112893.tif 000004
【図３】
2019112893.tif 000005
【図４】
2019112893.tif 000006
【図５】
2019112893.tif 000007
【図６】
2019112893.tif 000008